(57)【特許請求の範囲】
【請求項１】
汚泥掻寄機の駆動用動力の一部を利用して駆動するようにした汚泥掻寄機のスカムスキマ前後傾転装置において、スカムスキマの前後傾転装置を、スカムスキマに形成した歯車に、スカムスキマの外周に配設し、かつ連続回転する３つの前傾転駆動輪、中立位置復帰駆動輪、後傾転駆動輪の１つが順次噛合して、スカムスキマの前傾転、後傾転、中立位置復帰の各動作を連続的に繰り返すように構成したことを特徴とする汚泥掻寄機のスカムスキマ前後傾転装置。
【請求項２】
前傾転駆動輪、中立位置復帰駆動輪、後傾転駆動輪の各駆動輪に、スカムスキマを所要の回転角度のみ傾転駆動するようにスカムスキマの歯車と噛合するようにして歯車を形成したことを特徴とする請求項１記載の汚泥掻寄機のスカムスキマ前後傾転装置。
【請求項３】
前傾転駆動輪と中立位置復帰駆動輪とを同方向に、後傾転駆動輪を異なる方向に回転駆動するように構成したことを特徴とする請求項１又は２記載の汚泥掻寄機のスカムスキマ前後傾転装置。
【請求項４】
前傾転駆動輪と中立位置復帰駆動輪間をチェン伝動駆動とし、中立位置復帰駆動輪と後傾転駆動輪間を歯車伝動駆動としたことを特徴とする請求項１、２又は３記載の汚泥掻寄機のスカムスキマ前後傾転装置。
【発明の詳細な説明】
【技術分野】
【０００１】
本発明は、汚泥掻寄機のスカムスキマ前後傾転装置に関し、特に、汚泥掻寄機の動力の一部を利用してスカムスキマを連続的に前後方向に交互に揺動させ、水面に浮遊するスカムの吸い込み排出を効果的に行えるようにした汚泥掻寄機のスカムスキマ前後傾転装置に関するものである。
【背景技術】
【０００２】
従来、下水処理場に配設する沈殿池には、池底に沈殿する汚泥と水面に浮遊するスカムの双方を同時に排出するように構成した汚泥掻寄機を設置することがある。この汚泥掻寄機として、特に限定されるものではないが、例えば、図１に示すように、エンドレスチェンに複数の汚泥掻寄板（スクレーパ）を取り付け、このエンドレスチェンを沈殿池Ｐの池底Ｐｏと水面とに沿うようにして巡回移動させ、池底に沈殿する汚泥を汚泥ピットＰａ側に掻き寄せるとともに、水面に浮遊するスカムをスカムスキマ側に掻き寄せ、スカムスキマにて外部へ排出するよう構成している。
【０００３】
また、この沈殿池に配設するスカムスキマを、連続的或いは周期的に傾転させて、その吸込口が水面より少し下方になるようして、汚水の吸い込みと同時に浮遊するスカムを吸い込み、外部へ排出するようにしている。
このため、スカムスキマを、連続的に或いは周期的に傾転させる必要があるが、このスカムスキマの傾転動作を、汚泥掻寄機の駆動用動力と別の動力にて行ったり、或いは汚泥掻寄機の駆動用動力の一部を利用して行ったりしている。
【０００４】
したがって、スカムスキマを汚泥掻寄機の駆動用動力と別の動力にて行う場合、スカムスキマ駆動専用の駆動装置が必要となり、かつこの専用駆動装置への給電設備も必要となり、設備費が嵩むという問題があった。
【０００５】
また、汚泥掻寄機の駆動用動力の一部を利用してスカムスキマを傾転させる場合、エンドレスチェンに突設するストライカにてスカムスキマの傾転用リンクを蹴ることにより揺動するように構成しているので、スカムスキマの傾転方向が前傾の一方向だけとなり、スカムスキマより上流側水面に浮遊するスカムの排出を行えても、下流側水面に浮遊するスカムを排出することができないという問題があった。
【発明の開示】
【発明が解決しようとする課題】
【０００６】
本発明は、汚泥掻寄機のスカムスキマ傾転装置の有する問題点に鑑み、汚泥掻寄機の駆動用動力の一部を利用して簡易な装置で、かつ省エネ的にスカムスキマを前後交互に連続的に傾転させて、スカムスキマの上流及び下流側に浮遊するスカムスキマ近辺のスカムを確実に省エネ的に排出するようにした汚泥掻寄機のスカムスキマ前後傾転装置を提供することを目的とする。
【課題を解決するための手段】
【０００７】
上記目的を達成するため、本発明の汚泥掻寄機のスカムスキマ前後傾転装置は、汚泥掻寄機の駆動用動力の一部を利用して駆動するようにした汚泥掻寄機のスカムスキマ前後傾転装置において、スカムスキマの前後傾転装置を、スカムスキマに形成した歯車に、スカムスキマの外周に配設し、かつ連続回転する３つの前傾転駆動輪、中立位置復帰駆動輪、後傾転駆動輪の１つが順次噛合して、スカムスキマの前傾転、後傾転、中立位置復帰の各動作を連続的に繰り返すように構成したことを特徴とする。
【０００８】
この場合において、前傾転駆動輪、中立位置復帰駆動輪、後傾転駆動輪の各駆動輪に、スカムスキマを所要の回転角度のみ傾転駆動するようにスカムスキマの歯車と噛合するようにして歯車を形成することができる。
【０００９】
また、前傾転駆動輪と中立位置復帰駆動輪とを同方向に、後傾転駆動輪を異なる方向に回転駆動するように構成することができる。
【００１０】
また、前傾転駆動輪と中立位置復帰駆動輪間をチェン伝動駆動とし、中立位置復帰駆動輪と後傾転駆動輪間を歯車伝動駆動とすることができる。
【発明の効果】
【００１１】
本発明の汚泥掻寄機のスカムスキマ前後傾転装置によれば、汚泥掻寄機の駆動用動力の一部を利用して駆動することにより、他の動力を用いることなくスカムスキマを交互に連続して前傾及び後傾することができるので、簡易な装置でもって省エネ的に、かつ沈殿池のスカムスキマ付近の水面に浮遊するスカムを確実に排出することができる。
【００１２】
そして、スカムスキマの前後傾転装置を、スカムスキマに形成した歯車に、スカムスキマの外周に配設し、かつ連続回転する３つの前傾転駆動輪、中立位置復帰駆動輪、後傾転駆動輪の１つが順次噛合して、スカムスキマの前傾転、後傾転、中立位置復帰の各動作を連続的に繰り返すように構成することにより、スカムスキマの前傾転、後傾転、中立位置復帰の各動作を簡易な構成で確実に行うことができる。
【００１３】
また、前傾転駆動輪、中立位置復帰駆動輪、後傾転駆動輪の各駆動輪に、スカムスキマを所要の回転角度のみ傾転駆動するようにスカムスキマの歯車と噛合するようにして歯車を形成することにより、スカムスキマの前傾と後傾を交互に確実に行えるとともに、その傾転角度を正確に設定することができる。
【００１４】
また、前傾転駆動輪と中立位置復帰駆動輪とを同方向に、後傾転駆動輪を異なる方向に回転駆動するように構成することにより、すべての駆動輪を同時に駆動する構成としても、スカムスキマの前傾と後傾を交互に連続して確実に行うことができる。
【００１５】
また、前傾転駆動輪と中立位置復帰駆動輪間をチェン伝動駆動とし、中立位置復帰駆動輪と後傾転駆動輪間を歯車伝動駆動とすることにより、簡単な構成で、駆動を確実に行うことができる。
【発明を実施するための最良の形態】
【００１６】
以下、本発明の汚泥掻寄機のスカムスキマ前後傾転装置の実施の形態を、図面に基づいて説明する。
【００１７】
図１〜図３に、本発明の汚泥掻寄機のスカムスキマ前後傾転装置の一実施例を示す。
【００１８】
下水処理場の沈殿池Ｐには、該沈殿池に流入する汚水より固形分としての汚泥と、水面に浮遊するスカムを除去するために汚泥掻寄機Ａを設置している。
【００１９】
この汚泥掻寄機Ａとしては、特に限定されるものではないが、例えば、エンドレスチェン２に汚泥及びスカムを掻き寄せるための多数のスクレーパ３を突設したエンドレスチェン式のものを採用し、スクレーパ３が池底Ｐｏに沿って移動するとき、池底Ｐｏに沈殿する汚泥を汚泥ピットＰａ側に掻き寄せ排出し、また水面に沿って移動するとき、水面に浮遊するスカムを汚泥掻寄機Ａより下流側に配設したスカムスキマ５側に掻き寄せ排出するように構成している。
【００２０】
また、この汚泥掻寄機Ａのエンドレスチェン２は、所定間隔に多数のスクレーパ３、３を突設するとともに、水面部、水中及び地底に配設した複数のスプロケットホイール４ａ〜４ｅに噛合し、電動機１にて駆動される駆動用のスプロケットホイール４ａの駆動にて池底及び水面に沿って巡回駆動するように構成する。
そして、この水面部に配設する１つのスプロケットホイール４ｂより動力を得て、スカムスキマの前後傾転装置Ｂを介してスカムスキマ５を前後方向に交互に、かつ連続的に傾転するようにする。
【００２１】
このスカムスキマの前後傾転装置Ｂは、汚泥掻寄機の駆動用動力の一部を利用して駆動するように構成するもので、スカムスキマ５の外周に配設し、かつ連続回転する３つの前傾転駆動輪６、中立位置復帰駆動輪７、後傾転駆動輪８の１つがスカムスキマ５に形成した歯車に、順次連続的に噛合して、スカムスキマ５の前傾転と後傾転を交互に繰り返すようにする。このため、前傾転駆動輪６、中立位置復帰駆動輪７、後傾転駆動輪８の各駆動輪には、図３に示すように、スカムスキマ５を所要の回転角度のみ傾転させるようにスカムスキマの歯車と噛合するようにして歯車を形成する。
なお、この場合、前傾転駆動輪６と中立位置復帰駆動輪７とを同方向に、特に限定されるものではないが、例えば、チェン式伝動駆動とするとともに、後傾転駆動輪８を異なる方向となるように中立位置復帰駆動輪７と後傾転駆動輪８間を歯車式伝動駆動として、それぞれの駆動輪が同時に連続して回転駆動するようにする。
これにより、スカムスキマ５を前傾転、後傾転、中立位置復帰の各動作を連続的に順次繰り返すようにすることができる。
【００２２】
この前傾転駆動輪６、中立位置復帰駆動輪７、後傾転駆動輪８の駆動は、特に限定されるものではないが、例えば、図２に示すように、汚泥掻寄機Ａのエンドレスチェン２に噛合する１つのスプロケットホイール４ｂと同軸に配設したスプロケットホイール９１と、前傾転駆動輪６の軸６０に固定したスプロケットホイール９２との間にチェン９３を張架して、汚泥掻寄機Ａの駆動用動力の一部を利用して前傾転駆動輪６を駆動するようにするとともに、前記軸６０に固定したスプロケットホイール９４と中立位置復帰駆動輪７の軸７０に固定したスプロケットホイール９５間にチェン９６を張架して前傾転駆動輪６の駆動力を中立位置復帰駆動輪７にも伝達し、これにより、中立位置復帰駆動輪７を前傾転駆動輪６と同方向に回転するようにし、さらに、軸７０の軸端と後傾転駆動輪８の軸８０の軸端間に歯車群９７を配設し、互いに噛合するようにして中立位置復帰駆動輪７の駆動力を後傾転駆動輪８側に、かつ反対方向へ回転駆動するように構成する。
【００２３】
なお、図示の実施例では、スプロケットホイール４ｂより前傾転駆動輪６の駆動及び前傾転駆動輪６と中立位置復帰駆動輪７間の駆動はチェン式としたが、これを歯車式とすることもできるが、チェン式、歯車式いずれの方式においても、スプロケットホイール４ｂと中立位置復帰駆動輪７は同方向へ、また後傾転駆動輪８は異なる方向（逆方向）へ駆動するようにする。
【００２４】
また、スカムスキマ５に形成する歯車は、スカムスキマの全周回方向に連続的に形成するが、前傾転駆動輪６、中立位置復帰駆動輪７、後傾転駆動輪８の各駆動輪の外周に形成する歯６ａ、７ａ、８ａは、図３に示すように、各駆動輪の外周部の一部にのみ形成するようにする。
この各駆動輪に形成する歯６ａ、７ａ、８ａの形成角度（歯６ａ、７ａ、８ａを有する範囲）は、例えば、前傾転駆動輪６においてはスカムスキマ５の吸込口が、図３の（１）に示すように、上面位置にある状態のスカムスキマ５の歯車と噛合し、前傾転駆動輪６の回転によりスカムスキマ５の吸込口が、図３の（２）に示すように、スカム上流側で水面下となって水面に浮遊するスカムを吸込可能となる状態まで、特に限定されるものではないが、例えば、４５度回転して傾転するようにして設定し、また後傾転駆動輪８に形成する歯８ａの形成角度を、図３の（３）に示すように、前傾転状態にあるスカムスキマ５の吸込口がスカムスキマの上流側から下流側に、かつ下流側で水面下となって水面に浮遊するスカムを吸込可能となる状態まで、特に限定されるものではないが、例えば、９０度回転するようにして設定する。
さらに、中立位置復帰駆動輪７に形成する歯７ａの形成角度は、図３の（６）、（７）に示すように後傾転したスカムスキマ５の吸込口が後傾状態から図３の（１）に示すように上面位置にある状態にまで復帰できるようにして、特に限定されるものではないが、例えば、４５度に定めるものとする。
【００２５】
また、スカムスキマ５の歯と各駆動輪に形成する歯６ａ、７ａ、８ａとが噛合するタイミングは、図３に示すように、前傾転駆動輪６の噛合回転により吸込口が上面位置にある状態から所定の角度（例えば、４５度）前傾転した後、前傾転駆動輪６の歯６ａが該スカムスキマ５の歯車と離間することでスカムスキマ５の吸込口が上面位置にある状態を暫く保ち、さらに前傾転駆動輪６が４５度回転した後、次に後傾転駆動輪８の歯８ａがスカムスキマ５の歯車と噛合し、スカムスキマ５を前傾転状態から吸込口が上面位置にある状態を経て所定の角度（例えば、４５度）まで後傾転させた後、前傾転駆動輪６の歯８ａがスカムスキマ５の歯車と離間することでスカムスキマ５の吸込口を後傾転状態を保ち、次にスカムスキマ５の歯車に中立位置復帰駆動輪７の歯７ａが噛合してスカムスキマ５の吸込口を上面位置にある状態の中立位置に復帰させるようにする。
このスカムスキマ５の前傾転、後傾転動作の順序を図３の（１）から（８）に示す。
【００２６】
なお、スカムスキマ５の前傾転及び後傾転角度、及び前後傾転角度の保持時間、復帰時間は、各駆動輪に形成する歯６ａ、７ａ、８ａの形成角度により、またスカムスキマ５の歯と各駆動輪の歯６ａ、７ａ、８ａとの噛合タイミングを調整することで任意に設定することができる。
【００２７】
次に、この汚泥掻寄機のスカムスキマ前後傾転装置の作用について説明する。
汚泥掻寄機Ａを電動機１にて駆動すると、スプロケットホイール４ａ〜４ｅに噛合して張架したエンドレスチェン２が巡回駆動し、池底の汚泥をスクレーパ３にて汚泥ピット側に掻き寄せるとともに、水面に浮遊するスカムは同スクレーパ３にて沈殿池の下流側へ掻き寄せられ、スカムスキマ位置の水面に掻き寄せられる。
【００２８】
このエンドレスチェン２の巡回駆動時、これを噛合したスプロケットホイール４ｂより前後傾転装置Ｂは動力を得て同時に駆動されるが、これにより、前傾転駆動輪６、中立位置復帰駆動輪７、後傾転駆動輪８の３つ駆動輪も同時にそれぞれの方向に駆動される。そして、まず最初に前傾転駆動輪６の歯６ａがスカムスキマ５の歯車と噛合することで、スカムスキマ５は予め設定された角度に前傾転し、その吸込口が前傾してスカムスキマ５より上流側に浮遊するスカムをスカムスキマ５内に吸い込む。
【００２９】
さらに、前後傾転装置Ｂが連続して駆動されることにより、スカムスキマ５は次に後傾転駆動輪８の歯８ａと噛合してスカムスキマ５を前傾転状態より後傾転させ、その吸込口を後傾させてスカムスキマ５より下流側に浮遊するスカムをスカムスキマ５内に吸い込むようになる。
このように、スカムスキマ５を交互に前後傾転させることにより、スカムスキマ５の上流側と下流側に浮遊するスカムをそれぞれ吸い込み、排出することができる。
そして、スカムスキマ５の後傾転後、中立位置復帰駆動輪７の歯７ａがスカムスキマ５の歯車と噛合することでスカムスキマ５は、吸込口が上向きとなる中立位置に復帰し、次の前傾転駆動輪６の歯６ａとの噛合を待つ。
このようにしてエンドレスチェン２を巡回駆動させるだけで、前後傾転装置Ｂを介してスカムスキマ５を前後方向に交互に連続的に傾転させることができ、水面に浮遊するスカムを確実に排出することができる。
【００３０】
以上、本発明の汚泥掻寄機のスカムスキマ前後傾転装置について、実施例に基づいて説明したが、本発明は上記実施例に記載した構成に限定されるものではなく、その趣旨を逸脱しない範囲において適宜その構成を変更することができるものである。
【産業上の利用可能性】
【００３１】
本発明の汚泥掻寄機のスカムスキマ前後傾転装置は、汚泥掻寄機の駆動用動力の一部を利用してスカムスキマを前後交互に連続的に傾転させて、スカムスキマの上流及び下流側の、スカムスキマ近辺に浮遊するスカムを排出するという特性を有していることから、下水処理の用途に好適に用いることができる。
【図面の簡単な説明】
【００３２】
【図１】本発明の汚泥掻寄機のスカムスキマ前後傾転装置を沈殿池に配設した一実施例を示す縦断面図である。
【図２】スカムスキマ前後傾転装置の拡大説明図で、（Ａ）は正面図、（Ｂ）は平面図である。
【図３】スカムスキマの前後傾転動作の説明図である。
【符号の説明】
【００３３】
Ａ    汚泥掻寄機
Ｂ    前後傾転装置
Ｐ    沈殿池
１    電動機
２    エンドレスチェン
３    スクレーパ
４ａ〜４ｅ  スプロケットホイール
５    スカムスキマ
６    前傾転駆動輪
６ａ  歯
７    中立位置復帰駆動輪
７ａ  歯
８    後傾転駆動輪
８ａ  歯
【図１】
0004819075.tif 000002
【図２】
0004819075.tif 000003
【図３】
0004819075.tif 000004